(57)【要約】【課題】所定の領域を通じて後方が見えるように形成されたディスプレイ装置と、これを用いて二つの液晶ディスプレイ装置を前後方向に重ねて配置し、後方の液晶ディスプレイ装置が所定の領域を通じてのみ前方から見えるようにしたディスプレイ装置と、これを用いたゲーム機を提供する。【解決手段】本発明の一実施形態に係るディスプレイ装置は、第１液晶ディスプレイ装置と、前記第１液晶ディスプレイ装置の後方に前後方向に重なるように配置される第２液晶ディスプレイ装置と、前記第１液晶ディスプレイ装置と前記第２液晶ディスプレイ装置との間に配置される光拡散板と、を含む。前記第１液晶ディスプレイ装置は、液晶パネルと、前記液晶パネルの前方に配置され、予め設定された領域が除去されているカラーフィルターと、前記液晶パネルの前方または後方のうちの一つ以上に配置され、前記予め設定された領域に対応する領域が除去されている偏光板と、前記液晶パネルの後方に配置される光源と、を含む。前記光拡散板は、前記予め設定された領域を含む領域と前後方向に重なるように前記第１液晶ディスプレイ装置と前記第２液晶ディスプレイ装置との間に配置される。【選択図】図１
2014532200.tif 000002
【特許請求の範囲】
【請求項１】
第１液晶ディスプレイ装置と、
前記第１液晶ディスプレイ装置の後方に前後方向に重なるように配置される第２液晶ディスプレイ装置と、
前記第１液晶ディスプレイ装置と前記第２液晶ディスプレイ装置との間に配置される光拡散板と、を含み、
前記第１液晶ディスプレイ装置は、
液晶パネルと、
前記液晶パネルの前方に配置され、予め設定された領域が除去されているカラーフィルターと、
前記液晶パネルの前方または後方のうちの一つ以上に配置される偏光板と、
前記液晶パネルの後方に配置される光源と、を含み、
前記光拡散板は、前記予め設定された領域を含む領域と前後方向に重なるように、前記第１液晶ディスプレイ装置と前記第２液晶ディスプレイ装置との間に配置されるディスプレイ装置。
【請求項２】
前記光拡散板は、前記予め設定された領域と同一の大きさと形状を有する、請求項１に記載のディスプレイ装置。
【請求項３】
前記偏光板は、前記予め設定された領域に対応する領域が除去されている、請求項１に記載のディスプレイ装置。
【請求項４】
前記第２液晶ディスプレイ装置は、曲面形態を有する、請求項１に記載のディスプレイ装置。
【請求項５】
第１液晶ディスプレイ装置と、
前記液晶ディスプレイ装置の後方に配置され、複数の記号が表示される一つ以上のリール（ｒｅｅｌ）と、を含み、
前記第１液晶ディスプレイ装置は、
液晶パネルと、
前記液晶パネルの前方に配置され、前記リールの記号が選定される領域に対応する予め設定された領域が除去されているカラーフィルターと、
前記液晶パネルの前方または後方のうちの一つ以上に配置される偏光板と、
前記液晶パネルの後方に配置される光源と、を含むゲーム機。
【請求項６】
前記第１液晶ディスプレイ装置と前記リールとの間に配置される光拡散板をさらに含み、
前記リールは、第２液晶ディスプレイ装置で実現され、
前記光拡散板は、前記予め設定された領域を含む領域と前後方向に重なるように、前記第１液晶ディスプレイ装置と前記第２液晶ディスプレイ装置との間に配置される、請求項５に記載のゲーム機。
【請求項７】
前記光拡散板は、前記予め設定された領域と同一の大きさと形状を有する、請求項６に記載のゲーム機。
【請求項８】
前記偏光板は、前記予め設定された領域に対応する領域が除去されている、請求項５に記載のゲーム機。
【請求項９】
液晶パネルと、
前記液晶パネルの前方に配置され、予め設定された領域が除去されているカラーフィルターと、
前記液晶パネルの前方または後方のうちの一つ以上に配置される偏光板と、
前記液晶パネルの後方に配置される光源と、を含むディスプレイ装置。
【請求項１０】
前記偏光板は、前記予め設定された領域に対応する領域が除去されている、請求項９に記載のディスプレイ装置。
【発明の詳細な説明】
【技術分野】
【０００１】
本発明は、ディスプレイ装置およびこれを含むゲーム機に関する。
【背景技術】
【０００２】
従来は、二つの液晶表示装置を前後方向に重なるように配置して多層映像表示装置を実現した技術が知られている。
【０００３】
従来は、二つの液晶表示装置が単に前後方向に配置され、映像が選択的に表示されるようにしたため、その用途が限定されており、構造が複雑であるという問題があった。
【発明の概要】
【発明が解決しようとする課題】
【０００４】
本発明は、上記問題点を解決するためになされたものであって、本発明が解決しようとする課題は、所定の領域を通じて後方が見えるように形成されたディスプレイ装置、そしてこれを用いて二つの液晶ディスプレイ装置を前後方向に重ねて配置し、後方の液晶ディスプレイ装置が所定の領域を通じてのみ前方から見えるようにしたディスプレイ装置、およびこれを用いたゲーム機を提供することにある。
【課題を解決するための手段】
【０００５】
本発明の一実施形態に係るディスプレイ装置は、第１液晶ディスプレイ装置と、前記第１液晶ディスプレイ装置の後方に前後方向に重なるように配置される第２液晶ディスプレイ装置と、前記第１液晶ディスプレイ装置と前記第２液晶ディスプレイ装置との間に配置される光拡散板と、を含む。前記第１液晶ディスプレイ装置は、液晶パネルと、前記液晶パネルの前方に配置され、予め設定された領域が除去されているカラーフィルターと、前記液晶パネルの前方または後方のうちの一つ以上に配置される偏光板と、前記液晶パネルの後方に配置される光源と、を含む。前記光拡散板は、前記予め設定された領域を含む領域と前後方向に重なるように、前記第１液晶ディスプレイ装置と前記第２液晶ディスプレイ装置との間に配置される。
【０００６】
前記光拡散板は、前記予め設定された領域と同一の大きさと形状を有することができる。
【０００７】
前記偏光板は、前記予め設定された領域に対応する領域が除去されていてもよい。
【０００８】
前記第２液晶ディスプレイ装置は、曲面形態を有することができる。
【０００９】
一方、本発明の実施形態に係るゲーム機は、第１液晶ディスプレイ装置と、前記液晶ディスプレイ装置の後方に配置され、複数の記号が表示される一つ以上のリール（ｒｅｅｌ）と、を含む。前記第１液晶ディスプレイ装置は、液晶パネルと、前記液晶パネルの前方に配置され、前記リールの記号が表示される領域に対応する予め設定された領域が除去されているカラーフィルターと、前記液晶パネルの前方または後方のうちの一つ以上に配置される偏光板と、前記液晶パネルの後方に配置される光源と、を含む。
【００１０】
ゲーム機は、前記第１液晶ディスプレイ装置と前記リールとの間に配置される光拡散板をさらに含むことができ、前記リールは、第２液晶ディスプレイ装置で実現されてもよく、前記光拡散板は、前記予め設定された領域を含む領域と前後方向に重なるように前記第１液晶ディスプレイ装置と前記第２液晶ディスプレイ装置との間に配置され得る。
【００１１】
前記光拡散板は、前記予め設定された領域と同一の大きさと形状を有することができる。
【００１２】
前記偏光板は、前記予め設定された領域に対応する領域が除去されていてもよい。
【００１３】
一方、本発明の実施形態に係るディスプレイ装置は、液晶パネルと、前記液晶パネルの前方に配置され、予め設定された領域が除去されているカラーフィルターと、前記液晶パネルの前方または後方のうちの一つ以上に配置される偏光板と、前記液晶パネルの後方に配置される光源と、を含む。
【００１４】
前記偏光板は、前記予め設定された領域に対応する領域が除去されていてもよい。
【発明の効果】
【００１５】
本発明によれば、前方に配置される液晶ディスプレイ装置のカラーフィルターおよび偏光板の予め設定された領域に通孔を形成し、これを通じて後方の液晶ディスプレイ装置の映像表示領域が前方から見えるようにすると共に、通孔に該当する領域に光拡散板を配置して液晶パネル間の干渉紋の発生を防止することができる。
【図面の簡単な説明】
【００１６】
【図１】本発明の一実施形態に係るディスプレイ装置の概略的な分解斜視図である。
【図２】図１のＩＩ−ＩＩ線に沿って切開した断面図である。
【図３】本発明の他の実施形態に係るディスプレイ装置の概略的な分解斜視図である。
【発明を実施するための形態】
【００１７】
以下、本発明の実施形態を添付図面を参照して詳しく説明する。
【００１８】
本発明の実施形態に係るディスプレイ装置は、通常のディスプレイ装置として使用することもでき、ゲーム機などのディスプレイ装置として使用することもできる。
【００１９】
添付の図１乃至図３を参照すれば、本発明の実施形態に係るディスプレイ装置は、液晶パネル１１０を含む。カラーフィルター１２０が液晶パネル１１０の前方に配置され、偏光板１３０が液晶パネル１１０の前方または後方のうちの一つ以上に配置され得る。この時、カラーフィルター１２０には、予め設定された領域が除去されて通孔１２１が形成され、この通孔１２１を通じて液晶パネル１１０の前方から後方が見えるようになる。そして、偏光板１３０も、カラーフィルター１２０の予め設定された領域に対応する領域が除去されて、通孔１３１が形成される。
【００２０】
一方、本発明の他の実施形態に係るディスプレイ装置は、前述した本発明の実施形態に係るディスプレイ装置の後方に一つの液晶ディスプレイ装置がさらに配置される場合であり、本発明の実施形態に係るゲーム機は、前述した本発明の実施形態に係るディスプレイ装置の後方にゲーム機のリール（ｒｅｅｌ）が配置される場合である。
【００２１】
次に、添付図面を参照して前後に配置される二つの液晶ディスプレイ装置を含むディスプレイ装置、そして液晶ディスプレイ装置およびその後方に配置されるリールを含むゲーム機について説明する。一つの液晶ディスプレイ装置を含む実施形態に対する説明は、これら二つの実施形態に含まれ得るので、これについては別途に説明しない。
【００２２】
図１および図２を参照すれば、本発明の実施形態に係るディスプレイ装置は、前後方向に配置される第１液晶ディスプレイ装置１００と第２液晶ディスプレイ装置２００とを含む。
【００２３】
第２液晶ディスプレイ装置２００は、第１液晶ディスプレイ装置１００の後方に配置され、第２液晶ディスプレイ装置２００は、第１液晶ディスプレイ装置１００と前後方向に重なるように配置される。つまり、前面から見ると、第１液晶ディスプレイ装置１００の映像表示領域と、第２液晶ディスプレイ装置２００の映像表示領域とが、互いに重なるように配置される。
【００２４】
第１および第２液晶ディスプレイ装置１００、２００は、液晶の配向を用いて映像を具現する通常の液晶パネルを含む装置で実現することができ、液晶パネル以外にこれを駆動するための各種駆動回路を含むことができる。
【００２５】
光拡散板３００が第１液晶ディスプレイ装置１００と第２液晶ディスプレイ装置２００との間に配置される。光拡散板３００は、前記予め設定された領域を含む領域と前後方向に重なるように、第１液晶ディスプレイ装置１００と第２液晶ディスプレイ装置２００との間に配置される。
【００２６】
光拡散板３００は、光を拡散する機能を有する任意の材質で形成され得る。二つの液晶ディスプレイ装置１００、２００の間に光拡散板３００が配置されることによって、二つの液晶ディスプレイ装置１００、２００の液晶パネルの液晶セルパターンによる干渉紋の発生（モアレ現象）を防止することができる。
【００２７】
図１および図２を参照すれば、第１液晶ディスプレイ装置１００は、液晶パネル１１０を含む。
【００２８】
液晶パネル１１０は、通常の透明液晶パネルで形成することができ、例えば薄層構造のトランジスター層が形成されたガラス板のような、互いに向き合う透明基板の間に形成される空間に、液晶を封緘して形成され得る。
【００２９】
カラーフィルター１２０は、液晶パネル１１０の前方に配置される。液晶パネル１１０を通過した光は、カラーフィルター１２０を通過するようになり、その過程で所定色が具現される。この時、図面に示されているように、カラーフィルター１２０の予め設定された領域が除去されて通孔１２１を形成する。
【００３０】
一方、偏光板１３０は、液晶パネル１１０の前方または後方のうちの一つ以上に配置され得る。図面には、偏光板１３０が、液晶パネル１１０の前方および後方の両方に配置されるものが示されているが、偏光板１３０は、液晶パネル１１０の前方および後方のうちのいずれか一つにのみ配置することもできる。この時、液晶パネル１１０の前方に配置される偏光板１３０は、図面に示されているように、カラーフィルター１２０の前方に配置され得る。
【００３１】
この時、偏光板１３０は、液晶パネル１１０の全体に該当する領域を覆う形態を有することもでき、カラーフィルター１２０の予め設定された領域に対応する領域が除去されて通孔１３１を形成することもできる。つまり、偏光板１３０の通孔１３１とカラーフィルター１２０の通孔１２１とが同一の大きさと形状を有し、前後方向に重なるように形成される。そのために、前方から見ると、偏光板１３０の通孔１３１とカラーフィルター１２０の通孔１２１とを通じて、透明な液晶パネル１１０の後方に位置する第２液晶ディスプレイ装置２００の映像表示領域が、見えるようになる。第２液晶ディスプレイ装置２００の映像表示領域が前方から見えるようにするためには、液晶パネル１１０が透明状態になるようにノーマリーホワイト（ｎｏｒｍａｌｌｙ  ｗｈｉｔｅ）状態で制御することによって、これを通じて後方の第２液晶ディスプレイ装置２００の映像表示領域を前方から見えるようにすることができる。つまり、後方の第２液晶ディスプレイ装置２００の映像表示領域が前方から見えるようにするためには、液晶パネル１１０の映像表示領域のうち、前記予め設定された領域に対応する領域はノーマリーホワイトで制御して透明状態になるようにし、第２液晶ディスプレイ装置２００の該当領域に映像を表示することによって、第２液晶ディスプレイ装置２００に表示された映像が、光拡散板３００を通じて前方から見えるようになる。この時、液晶パネル１１０の残りの領域は、所望の映像が表示されるようにすることができる。そのために、第１液晶ディスプレイ装置１００の一部領域に映像が表示された状態で、後方に配置された第２液晶ディスプレイ装置２００に表示された映像が前方から見えるようになる。
【００３２】
一方、光拡散板３００は、カラーフィルター１２０の通孔１２１、および、偏光板１３０の通孔１３１に該当する前記予め設定された領域と同一の大きさと形状を有するように、形成され得る。そのために、カラーフィルター１２０の通孔１２１、および、偏光板１３０の通孔１３１を通じて前方から見える部分にのみ、光拡散板３００が存在するようになり、二つの液晶ディスプレイ装置１００、２００の領域のうち、重なって前方から見える部分で干渉紋が発生することを防止しながらも、良好な光特性を確保することができる。
【００３３】
液晶パネル１１０の後方には、光源１４０が備えられ得る。光源１４０は、第１液晶ディスプレイ装置１００のバックライトの役割を果たすものであり、フレーム（ｆｒａｍｅ）により所定の位置に固定され、光源１４０の個数および位置は多様に変更可能である。そして、光源１４０は、陰極線ランプ、ＬＥＤランプのような光を発散できる任意の装置で実現され得る。
【００３４】
一方、図面に示されているように、第２液晶ディスプレイ装置２００は、曲面形態を有することができる。例えば、第２液晶ディスプレイ装置２００の映像表示領域の前面は、前方へ凸の曲面形態を有することができる。曲面形態を有する第２液晶ディスプレイ装置２００は、フレキシブル（ｆｌｅｘｉｂｌｅ）液晶ディスプレイ装置で実現することもでき、平面形態の液晶ディスプレイ装置の基板の外面を削り出して所望の形態に曲げて形成することもできる。後方に配置される第２液晶ディスプレイ装置２００が曲面形態を有し、ここにパチンコゲームなどに使用される記号を表示することによって、本発明の実施形態に係るディスプレイ装置は、パチンコゲーム機のリールおよびディスプレイ画面を含む装置として使用され得る。
【００３５】
図３は、本発明の一実施形態に係るゲーム機を概略的に示す図面である。
【００３６】
図面には液晶ディスプレイ装置１００とその後方に配置されるリール４００のみが示されているが、ゲーム機は、液晶ディスプレイ装置１００とリール４００が設けられるキャビネット形態のハウジング（図示せず）、そしてゲームの遂行に必要な各種部品および制御器などを含むことができる。
【００３７】
液晶ディスプレイ装置１００は、前述した実施形態の第１液晶ディスプレイ装置１００と同一であるため、これに対する説明は省略する。
【００３８】
リール４００は、液晶ディスプレイ装置１００の後方に配置されるようにハウジング内に装着され得る。リール４００は、従来のゲーム機に通常使用される機械式リールであってもよく、液晶ディスプレイ装置で実現されてもよい。
【００３９】
機械式リールの場合、リール４００は、複数個が備えられ、各リール４００は、平行な状態で互いに隣接するように配置され、互いに独立的に回転するように設置され得る。例えば、リール４００は、リールドラム（ｒｅｅｌ  ｄｒｕｍ）４０１と、このリールドラム４０１の外周面に付着されるリールストリップ（ｒｅｅｌ  ｓｔｒｉｐ）４０３と、を含むものとすることができる。そして、リールドラム４０１を回転させるためのモータ（ｍｏｔｏｒ）（図示せず）が備えられ得る。リールストリップ４０３は、半透過性の樹脂で形成され、リールストリップ４０３には複数の記号４０５が表示され、各記号４０５は、隣接した記号の間に空いた空間が存在するように、同一の間隔で配列され得る。ここで、記号は、数字、絵、文字など任意の記号であり得る。各リール４００は、回転して表示された記号４０５のうちのいずれか一つが前面中央に位置する状態で停止するように作動する。以下で記号４０５が表示された領域が停止する前面中央に該当する仮想の領域を、記号選定領域と言う。
【００４０】
この時、カラーフィルター１２０は、リール４００の記号が選定される記号選定領域に対応する予め設定された領域が、除去される。つまり、図３を参照すれば、カラーフィルター１２０の通孔１２１とリール４００の記号選定領域とが前後方向に重なり、そのために、カラーフィルター１２０の通孔１２１を通じて、リール４００の記号選定領域、およ、ここに表示された選定記号が、前方から見えるようになる。
【００４１】
一方、リール４００は液晶ディスプレイ装置で実現することができ、この場合、液晶ディスプレイ装置１００とリール（つまり、液晶ディスプレイ装置）４００との間に光拡散板３００が配置され得る。リール４００が液晶ディスプレイ装置で実現されずに、従来のゲーム機に主に使用される機械式リールである場合、光拡散板３００は備えられなくてもよい。
【００４２】
この時、図３に示されているように、光拡散板３００は、カラーフィルター１２０の通孔２０１を含む領域と前後方向に重なるように、二つの液晶ディスプレイ装置の間に配置される。光拡散板３００は、予め設定された領域（つまり、カラーフィルター１２０の通孔１２１）と同一の大きさと形状を有するものとすることができる。そのために、二つの液晶ディスプレイ装置を前後に配置してゲーム機を構成する場合にも、後方の液晶ディスプレイ装置の記号が前方から見えると共に、二つの液晶パネルの重畳による干渉紋の発生を防止することができる。
【００４３】
以上で本発明の実施形態を説明したが、本発明の権利範囲はこれに限定されず、本発明の実施形態から、本発明が属する技術分野における通常の知識を有する者により、容易に変更されて均等であると認められる範囲のすべての変更および修正を含む。
【産業上の利用可能性】
【００４４】
本発明は、ディスプレイ装置およびこれを含むゲーム機に関し、各種ディスプレイおよびゲーム機に適用され得るため、産業上の利用可能性がある。
【符号の説明】
【００４５】
１００…第１液晶ディスプレイ装置
１１０…液晶パネル
１２０…カラーフィルター
１２１、１３１…通孔
１３０…偏光板
１４０…光源
２００…第２液晶ディスプレイ装置
３００…光拡散板
４００…リール
４０１…リールドラム
４０３…リールストリップ
４０５…記号
【図１】
2014532200.tif 000003
【図２】
2014532200.tif 000004
【図３】
2014532200.tif 000005
【国際調査報告】
2014532200.tif 000006
2014532200.tif 000007
2014532200.tif 000008
2014532200.tif 000009